(57)【要約】      （修正有）【課題】  個人毎に設定を機器内に保存する事ができ、個人が操作する時になんらアクションをせずとも、自動的に過去に設定してある状態に機器を制御する事ができる画像形成装置を提供する。【解決手段】  一般的な画像入力装置及び画像出力装置を有する画像複写装置と、Ｎｅｔｗｏｒｋ機能を持つ汎用コンピュータにおいて、前記画像複写装置が自分自身の操作者を特定するための個人ＩＤ特定手段、前記汎用コンピュータ上に前記画像処理装置の設定データを記録する記録手段、前記画像処理装置が前記汎用コンピュータから個人ＩＤを獲得するＩＤ獲得手段、前記画像処理装置上に前記汎用コンピュータが記録している前記設定データを関連付けるリンク手段、を有する事を特徴とする。【選択図】        図７
2006196983.tif 000002
【特許請求の範囲】
【請求項１】
一般的な画像入力装置及び画像出力装置を有する画像複写装置と、Ｎｅｔｗｏｒｋ機能を持つ汎用コンピュータにおいて、
前記画像複写装置が自分自身の操作者を特定するための個人ＩＤ特定手段、
前記汎用コンピュータ上に前記画像処理装置の設定データを記録する記録手段、
前記画像処理装置が前記汎用コンピュータから個人ＩＤを獲得するＩＤ獲得手段、
前記画像処理装置上に前記汎用コンピュータが記録している前記設定データを関連付けるリンク手段、
前記画像処理装置が前記リンク手段を用いて前記汎用コンピュータから前記設定データを読み出すデータ読み込み手段、
前記画像処理装置が前記リンク手段を用いて前記汎用コンピュータから前記設定データを書き出すデータ書き込み手段、
前記読み込み手段のデータにより前記画像処理装置が機器設定を切り替える設定更新手段、
を有する事を特徴とする画像形成装置。
【請求項２】
請求項１に記載の設定データが、表示言語である事を特徴とする画像形成装置。
【請求項３】
請求項１に記載の設定データが、アドレス帳である事を特徴とする画像形成装置。
【請求項４】
請求項１に記載の設定データが、コピーの機能設定である事を特徴とする画像形成装置。
【請求項５】
請求項１に記載の設定データが、キークリック音のＯｆｆ／Ｏｎの機能設定である事を特徴とする画像形成装置。
【請求項６】
請求項１に記載の設定データが、表示言語、アドレス帳、コピー機能設定のいずれかである事を特徴とする画像形成装置。
【請求項７】
請求項１に記載のデータ選択手段が、表示言語、アドレス帳、コピー機能設定のいずれかである事を特徴とする画像形成装置。
【請求項８】
請求項１に記載の汎用コンピュータが携帯情報装置、Ｎｅｔｗｏｒｋ機能が無線である事を特徴とする画像形成装置。
【発明の詳細な説明】
【技術分野】
【０００１】
本発明は、画像形成装置に関する。
【背景技術】
【０００２】
従来、画像形成装置においてはユーザモードと呼ばれるユーザの好みに応じて設定を変更する事が出来る機能があった。
【特許文献１】特開２０００−９８８１２号公報
【発明の開示】
【発明が解決しようとする課題】
【０００３】
しかし、画像形成装置はその特徴上、使用者が一つを所有するわけではなく、一般的に多くの人がシェアしている場合が多い。したがって、ユーザが自分の好みに応じて設定できる機能があるが、自分の好みに切り替えたとしても、他のユーザによって勝手に切り替えられてしまう事があった。
【０００４】
また、例えばアドレス帳のデータ等の個人が持つ情報を画像形成装置上に蓄積保存していくうちに膨大なデータとなり検索するのに時間がかかる場合があった。
【０００５】
本発明は、上述の問題点に着目してなされたものであって、個人毎に設定を機器内に保存する事ができ、個人が操作する時になんらアクションをせずとも、自動的に過去に設定してある状態に機器を制御する事ができる画像形成装置を提供することを目的とする。
【課題を解決するための手段】
【０００６】
本発明では、個人が所有するＰＣ及びＰＤＡ装置を画像形成装置の操作できるストレージメモリとする事で、個人が記録すべきデータに関しては個人が管理する事を可能とするものである。
【０００７】
操作者が画像形成装置に対してログインすることにより、前記ＰＣ及びＰＤＡ装置から前記画像形成装置の内部にデータをロードし、その振る舞いを変えることで、複数のユーザが自分だけの設定・データを保持する事が可能となり、機器を快適に使用する事ができる。
【０００８】
すなわち本発明は、一般的な画像入力装置及び画像出力装置を有する画像複写装置と、Ｎｅｔｗｏｒｋ機能を持つ汎用コンピュータにおいて、
前記画像複写装置が自分自身の操作者を特定するための個人ＩＤ特定手段、
前記汎用コンピュータ上に前記画像処理装置の設定データを記録する記録手段、
前記画像処理装置が前記汎用コンピュータから個人ＩＤを獲得するＩＤ獲得手段、
前記画像処理装置上に前記汎用コンピュータが記録している前記設定データを関連付けるリンク手段、
前記画像処理装置が前記リンク手段を用いて前記汎用コンピュータから前記設定データを読み出すデータ読み込み手段、
前記画像処理装置が前記リンク手段を用いて前記汎用コンピュータから前記設定データを書き出すデータ書き込み手段、
前記読み込み手段のデータにより前記画像処理装置が機器設定を切り替える設定更新手段、
を有する事を特徴とする画像形成装置である。
【発明の効果】
【０００９】
本発明を用いる事で、個人毎に設定を機器内に保存する事が可能となり、個人が操作する時になんらアクションをせずとも、自動的に過去に設定してある状態に機器を制御する事が可能となる。
【発明を実施するための最良の形態】
【００１０】
以下本発明を実施するための最良の形態を、実施例により詳しく説明する。
【実施例】
【００１１】
図１〜図４は本発明の実施例である画像形成装置の構成を表す図面である。それらに基づき基本的な構成を説明する。
【００１２】
カラースキャナ部の構成
図３は画像形成装置の全体構成を示すものである。
【００１３】
まず、３８０の破線内に示されるカラースキャナ部の構成について説明する。
【００１４】
（装置の名称の説明）
１０１はＣＣＤ、３１１はＣＣＤ１０１の実装された基板、３００はスキャナ装置全体を制御するスキャナＣＰＵ、３１２はＣＣＤ基盤３１１から送られるアナログ画像信号をデジタル化したあとデジタル画像処理を行う画像処理部が含まれるＩＰ基盤、３０１は原稿台ガラス、３０２は原稿給紙装置（ＤＦ）（なお、この原稿給紙装置３０２の代わりに非図示の圧板を装着する構成もある）、３０３及び３０４は原稿を照明する光源（ハロゲンランプ又は蛍光灯等）、３０５及び３０６は光源３０３・３０４の光を原稿に集光する反射傘、３０７〜３０９はプラテン上にセットされた原稿を光学的に１０１ＣＣＤに導く為のミラー、３１０は前記ミラーの投影光をＣＣＤ１０１上に集光するレンズ、３１４はハロゲンランプ３０３・３０４と反射傘３０５・３０６とミラー３０７を収容する第１ミラー台（キャリッジ）、３１５はミラー３０８・３０９を収容する第２ミラー台、３１６は第１ミラー台３１４と第２ミラー台３１５を副走査方向（図中における左右方向）に駆動するステッピングモータ駆動部である。
【００１５】
３１３は他のデバイスとの外部インターフェイスである。この外部インターフェイスには本実施例では図示しないが、ネットワークに接続する為のＬＡＮインターフェイス装置、パソコン等と接続する為のＳＣＳＩインターフェイス装置、ＦＡＸとして動作させる為のＦＡＸ装置等、本スキャナ画像を用いることが要求されるデバイスを接続することが可能であり、本インターフェイスを介して、スキャナＣＰＵ３００と外部装置のＣＰＵが通信を行い、取り決められたタイミングで、取り決められた画像データを概外部インターフェイス３１３から出力することができる。
【００１６】
３５３は画像複写装置として本スキャナを用いる際に、画像出力を担当するプリンタと画像と命令をやりとりする為の専用のインターフェイスである。
【００１７】
（原稿の読み方の説明）
３０２のＤＦもしくは、ユーザにより３０１の原稿台ガラス上に置かれた原稿は、非図示のコピーボタン押下等の原稿読み込みイベントにより、スキャナＣＰＵ３００が画像読み取りを行う為の指示を各所に与える。具体的には、３０３、３０４の光源を点灯させ、ＣＣＤ基盤３１１を動作可能状態にし、画像処理基盤３１２に画像処理パラメータを設定する。各準備が整うと、ステッピングモータ駆動部３１６を動作させ、第１ミラー台を副走査方向に等速駆動し、原稿の全面を順に照射していく。この時、第２ミラー台３１５は第１ミラー台３１４の１／２に駆動するようにメカ的に光学設計されており的確に１０１のＣＣＤに原稿を光学照射する。ＣＣＤ１０１は主走査方向（図中の手前−奥方向）に受光センサが並んだものであり、一定周期に受光センサに対応したレジスタより、光量に比例したアナログ電圧を順々に取り込む事が可能である。この主走査方向の連続した取り込みと副走査方向に駆動する移動の繰り返しにより、原稿全面を２次元のイメージで取り込むことが可能である（２次元の画像データは時間軸に１次元の配列をとる）。この画像データはＣＣＤ基盤３１１から画像処理基盤３１２に転送され、適切な画像処理をかけた後に外部インターフェイス３１３もしくは、プリンタインターフェイス３５３のいずれかを介して、スキャナ外に画像を出力する。
【００１８】
（画像の処理の説明）
次に画像処理基盤３１２内のデジタル画像処理部３１２の詳細な説明を行う。図１はデジタル画像処理部３１２の詳細な構成を示すブロック図である。画像複写装置として動作する場合について以下に述べる。
【００１９】
原稿台ガラス上の原稿はＣＣＤ１０１に導かれて電気信号に変換される（ＣＣＤ１０１はカラーセンサの場合、ＲＧＢのカラーフィルタが１ラインＣＣＤ上にＲＧＢ順にインラインに乗ったものでも、３ラインＣＣＤで、それぞれＲフィルタ・Ｇフィルタ・ＢフィルタをそれぞれのＣＣＤごとに並べたものでも構わないし、フィルタがオンチップ化又は、フィルタがＣＣＤと別構成になったものでも構わない）。そして、その電気信号（アナログ画像信号）は画像処理部３１２に入力され、クランプ＆Ａｍｐ．＆Ｓ／Ｈ＆Ａ／Ｄ部１０２でサンプルホールド（Ｓ／Ｈ）され、アナログ画像信号のダークレベルを基準電位にクランプし、所定量に増幅され（上記処理順番は表記順とは限らない）、Ａ／Ｄ変換されて、例えばＲＧＢ各８ビットのデジタル信号に変換される。そして、ＲＧＢ信号はシェーディング部１０３で、シェーディング補正及び黒補正が施された後、つなぎ＆ＭＴＦ補正補正＆原稿検知部１０４で、ＣＣＤ１０１が３ラインＣＣＤの場合、つなぎ処理はライン間の読取位置が異なるため、読取速度に応じてライン毎の遅延量を調整し、３ラインの読取位置が同じになるように信号タイミングを補正し、ＭＴＦ補正は読取速度や変倍率によって読取のＭＴＦが変るため、その変化を補正し、原稿検知は原稿台ガラス上の原稿を走査することにより原稿サイズを認識する。読取位置タイミングが補正されたデジタル信号は入力マスキング部１０５によって、ＣＣＤ１０１の分光特性及び光源３０３・３０４及び反射傘３０５・３０６の分光特性を補正する。入力マスキング部１０５の出力は外部Ｉ／Ｆ信号との切り替え可能なセレクタ１０６に入力される。セレクタ１０６から出力された信号は色空間圧縮＆下地除去＆ＬＯＧ変換部１０７と下地除去部１１５に入力される。下地除去部１１５に入力された信号は下地除去された後、原稿中の原稿の黒い文字かどうかを判定する黒文字判定部１１６に入力され、原稿から黒文字信号を生成する。また、もう一つのセレクタ１０６の出力が入力された色空間圧縮＆下地除去＆ＬＯＧ変換部１０７では、色空間圧縮は読み取った画像信号がプリンタで再現できる範囲に入っているかどうか判断し、入っている場合はそのまま、入っていない場合は画像信号をプリンタで再現できる範囲に入るように補正する。そして、下地除去処理を行い、ＬＯＧ変換でＲＧＢ信号からＣＭＹ信号に変換する。そして、黒文字判定部１１６で生成された信号とタイミングを補正するため色空間圧縮＆下地除去＆ＬＯＧ変換部１０７の出力信号は遅延１０８でタイミングを調整される。この２種類の信号はモワレ除去部１０９でモワレが除去され、１１０で、主走査方向に変倍処理される。１１１はＵＣＲ＆マスキング＆黒文字反映部で、変倍処理部で処理された信号はＣＭＹ信号はＵＣＲ処理でＣＭＹＫ信号が生成され、マスキング処理部でプリンタの出力にあった信号に補正されると共に黒文字判定部１１６で生成された判定信号がＣＭＹＫ信号にフィードバックされる。ＵＣＲ＆マスキング＆黒文字反映部１１１で処理された信号はγ補正部１１２で濃度調整された後フィルタ部１１３でスムージング又はエッジ処理される。以上処理された信号は１１７の２値変換部で８ビットの多値信号���ら２値信号に変換される。（変換方法はディザ法・誤差拡散法・誤差拡散の改良したものいずれでもかまわない。）これらの処理を経て、プリンタインターフェイス３５３もしくは、外部インターフェイス３１３からプリンタ又は、その他のデバイスに画像が送られる。
【００２０】
（画像信号の構成）
図４−１はスキャナ内部で流れる画像信号のタイミング図を示すものである。
【００２１】
４０１は副走査方向の有効画像区間を表すＶ−ＥＮＢＬである。４０２は主走査方向の同期信号であるＨ−ＳＹＮＣである。４０３は主走査方向の１画素の同期信号であるＶ−ＣＬＫである。４０４はＣＣＤから読み出されＡＤ変換された画像信号（一つしか記述していないが、Ｄａｔａ−Ｒ、Ｄａｔａ−Ｇ、Ｄａｔａ−Ｂが存在する）である。４２２は全体を記述しきれないため、特徴的な部分以外を省略する為のものである。
【００２２】
図４−２は読み取り原稿のイメージと画像信号の対応を表した図である。この図における主走査方向はＹ方向であり、副走査方向はＸ方向となる。つまり、１０１のＣＣＤはＹ方向に画素を有し、この図においては左方向から右方向に移動しながら画像を取り込む。
【００２３】
４０１のＶ−ＥＮＢＬは画像の有効領域を示す。３１４の第一ミラー台を等速で駆動し、図４−２の原稿の読み取り開始点に来たときに、４０１のＶ−ＥＮＢＬは有効レベルとなり、画像データの先頭と有効な領域を示す。つまり、３１４の第一ミラー台が１０１のＣＣＤに投射している画像は図４−２の４１１〜４１４の主走査方向の１ライン目の画像となる。
【００２４】
この時、４０２のＨ−ＳＹＮＣは主走査方向の同期信号の有効エッジをトリガに４０３のＶ−ＣＬＫに同期して１０１のＣＣＤからの画像が読み出していく、読み出された１０１のＣＣＤの画像は、３１２の画像処理部の１０２の回路によりデジタルデータに変換され、各４１１、４１２、４１３・・・４１４の画像データとして変換される。
【００２５】
Ｈ−ＳＹＮＣの１Ｈ分の時間に対し、３１４の第一ミラー台は次の取り込みラインまで移動する様に正確に制御され、第１ラインの取り込み終了後は、同様に第２ラインの４１５〜４１７を取り込む。この動作を逐次連続して繰り返し、最終ラインの４１８〜４２０まで取り込む。主走査方向の取り込みが終了した為、Ｖ−ＥＮＢＬはＯＦＦとされ、画像データが無効になったことを表す。この図４−２の４２１は有効画像外の画像データである。
【００２６】
この様に読み取り原稿を２次元の画像データとして取り込む事が可能となる。
【００２７】
（プリンタ部の構成）
続いて、図３の破線３８１内に示されるプリンタ部の構成について説明する。
【００２８】
３８３はリーダインターフェイスであり、画像複写装置としてプリンタを用いる際にスキャナデバイスを接続する為のインターフェイスとなる。
【００２９】
３８２は外部インターフェイスである。この外部インターフェイスには本実施例では図示しないが、ネットワークに接続する為のＬＡＮインターフェイス装置、パソコン等と接続する為のＳＣＳＩインターフェイス装置等、本プリンタに画像を出力する事が要求されるデバイスが接続することが可能であり、本インターフェイスを介して、プリンタＣＰＵ３８４と外部装置のＣＰＵが通信を行い、取り決められたタイミングで、取り決められた画像データを概外部インターフェイス３８２から入力することができる。
【００３０】
３１７はＭ画像形成部、３１８はＣ画像形成部、３１９はＭ画像形成部、３２０はＫ画像形成部である。３１７〜３２０までの各画像形成部の構成は全て同一なので以下ではＭ画像形成部３１７を詳細に説明し、他の画像形成部の説明は省略する。
【００３１】
Ｍ画像形成部３１７において、３４２は感光ドラムで、ＬＥＤアレー２１０からの光によって、その表面に潜像が形成される。３２１は一次帯電気で、感光ドラム３４２の表面を所定の電位に帯電させ、潜像形成の準備をする。３２２は現像器で、感光ドラム３４２上の潜像を現像して、トナー画像を形成する。なお、現像器３２２には、現像バイアスを印加して現像するためのスリーブ３４５が含まれている。３２３は転写帯電気で、転写ベルト３３３の背面から放電を行い、感光ドラム３４２上のトナー画像を、転写ベルト３３３上の記録紙などへ転写する。本実施例は転写効率がよいため、クリーナ部が配置されていない（クリーナ部を装着しても問題ないことは言うまでもない。）。
【００３２】
（プリンタ画像処理系の説明）
前記ＬＥＤアレーの制御法について、スキャナ３８０の画像処理系である図１に対応した図を図２に示し、以下に説明を行う。
【００３３】
図３のスキャナ３８０のプリンタインターフェイス３５３から出力された画像は、プリンタ３８１のスキャナインターフェイス３８３に入力される。これは、図２中の３８３からスキャナ画像が入力されることを意味する。３８３から入力された画像データは２０１の大容量メモリ（メモリは半導体メモリでも固定記憶装置でも、その組み合わせでも、画像を記憶する為のメモリであれば構わない）に格納される。また格納と同時もしくは格納した後、例えば紙先端センサ３４７からの紙先端信号などの画像出力要求に対して、大容量メモリ２０１から画像データは読み出され、それぞれ遅延部２０２〜２０５におくられ、各色の所定の遅延分だけよって紙先端センサとそれぞれの画像形成部との距離の違いを調整し、４色を所定の位置に印字することが可能となる。ＬＥＤ駆動２０６〜２０９はＬＥＤ２１０〜２１３を駆動するための信号を生成する。
【００３４】
（画像形成法）
次に、記録紙などの上へ画像を形成する手順を説明する。カセット３４０・３４１に格納された記録紙等はピックアップローラ３３９・３３８により１枚毎給紙ローラ３３６・３３７で転写ベルト３３３上に供給される。給紙された記録紙は、吸着帯電器３４６で帯電させられる。３４８は転写ベルトローラで、転写ベルト３３３を駆動し、かつ、吸着帯電器３４６と対になって記録紙等を帯電させ、転写ベルト３３３に記録紙等を吸着させる。３４７は紙先端センサで、転写ベルト３３３上の記録紙等の先端を検知する。なお、紙先端センサの検出信号はプリンタ部からスキャナ部へ送られて、スキャナ部からプリンタ部にビデオ信号を送る際の副走査同期信号として用いられる。
【００３５】
この後、記録紙等は、転写ベルト３３３によって搬送され、画像形成部３１７〜３２０においてＭＣＹＫの順にその表面にトナー画像が形成される。Ｋ画像形成部３２０を通過した記録紙等は、転写ベルト３３３からの分離を容易にするため、除電帯電器３４９で除電された後、転写ベルト３３３から分離される。３５０は剥離帯電器で、記録紙等が転写ベルト３３３から分離する際の剥離放電による画像乱れを防止するものである。分離された記録紙等は、トナーの吸着力を補って画像乱れを防止するために、定着前帯電器３５１・３５２で帯電された後、定着器３３４でトナー画像が熱定着された後、３３５の排紙トレイに排紙される。
【００３６】
（画像複写動作）
非図示の画像複写装置としての操作部上に配置されるコピーボタンが押下されると、スキャナ３８０はプリンタ３８１に対して画像の出力要求を出す。そして、プリンタより画像の読み取り要求がスキャナに与えられ、前記説明により画像の読み取りを開始する。これと同時、もしくは画像の読み取り終了後に３８１のプリンタは、前記説明によりスキャナから入力された画像を排紙トレイ３３５に排出することができ、これにより複写動作が可能となる構成になっている。
【００３７】
（本方式の説明）
＜携帯情報装置の構成と、個人ＩＤの認識手段＞
図７の３３０７に相当する携帯情報装置の詳細を以下に示す。
【００３８】
図８は携帯情報機器のブロック図である。
【００３９】
本実施例では以下の構成を例に記載するが、本発明は情報通信を行うことが可能な機器に関して適用可能なものであり、特にこの図の通りに機能を限定するものではない。また、現在多く普及されている磁気記録方法のＩＤカード等でも同様の効果が得られる。よって、個人ＩＤを記録する媒体は限定しない。
【００４０】
３４０１は外部と情報のやり取りを行う為のアンテナ、３４０２は３４０１アンテナに対して情報を送信する送信部、３４０３は３４０１アンテナから情報を受信する受信部、３４０４は操作者及び周辺の音を電気信号に変換するマイク、２００５は操作者及び周辺に対し電気信号を音に変換して出力するスピーカ、３４０６は操作者が本携帯情報機器に対して指令を与えるための操作部、３４０７は本携帯情報機器全体を制御するＣＰＵ、３４０８は３４０７ＣＰＵが動作する上で必要な揮発性メモリ及び、通信先等の電源ＯＦＦにおいてもデータが消去されないためのＥＥＰＲＯＭ等の不揮発性のメモリを統括しているメモリ、３４０９は操作者及び周辺に対して機器の状態及びメッセージを通知する表示部となる。
【００４１】
また、３４０８メモリには所有者の個人情報をもっており、これはユニークなものである。本発明は認証の詳細については深く触れないが、この個人情報（以降「個人ＩＤ」と記載）により既知の認証手段によって個人を特定する事が出来る。
【００４２】
＜携帯情報装置の機能（通話方法）説明＞
図８における携帯情報装置の機能について説明する。
【００４３】
本実施例においては、今後図８に示す携帯情報装置が一般的な携帯電話であった場合を想定し、一般的な機能の説明を行う。
【００４４】
前記携帯電話から通話を開始する場合。操作者は３４０６操作部より、電話番号を入力する。その番号は３４０７ＣＰＵによって、３４０９操作部にエコーバック表示される。操作者が３４０６操作部内の非図示の通話開始ボタンを押すことにより、３４０２通信部、３４０１アンテナを介して最寄りの電話局に通話要求が発生し、通話相手と回線が接続される。回線接続後は、操作が３４０４マイクに対して話した言葉は３４０２送信部で信号変換され、３４０１アンテナを介して通信相手に伝わる。また、通信相手が話した言葉は３４０１アンテナから３４０３受信部に入り、アナログ信号に変換され３４０５スピーカを介して操作者に伝わる事になる。
【００４５】
次にデジタル情報をやり取りする場合について述べる。
【００４６】
伝送するための情報は、３４０８メモリから３４０７ＣＰＵ、３４０２送信部を介して３４０１アンテナに伝送され発信される。受信側は３４０１アンテナから３４０３の受信部、３４０７ＣＰＵを介して３４０８メモリに蓄積される。
【００４７】
３４０９表示部は一般的にＬＣＤが使われる。非図示のＶＲＡＭに対して３４０７ＣＰＵがビットマップパターンを書き込むことにより画像を表示する事が可能であり多彩な表現を行う事が可能である。
【００４８】
これらの技術は公知であるため、詳細な説明は省略する。
【００４９】
＜本発明の構成の概略図の説明＞
図７に本発明の実施例で用いる概略の図を示す。
【００５０】
３３０１は先に説明した画像形成装置である。３３０２はＮｅｔｗｏｒｋである。３３０３はコンピュータである。３３０４は前記コンピュータを操作するユーザである。３３０５は前記コンピュータと前記画像形成装置間で張られるリンクである。３３０６は前記画像形成装置の近傍に位置して前記画像形成装置を操作するユーザである。３３０７は前記３３０６ユーザが携帯している携帯情報装置である。３３０８は前記携帯情報装置と前記画像形成装置間で張られるリンクである。
【００５１】
前記画像形成装置及び前記コンピュータは前記Ｎｅｔｗｏｒｋで接続されている。故に３３０４ユーザは３３０３のコンピュータを使用して３３０１にＪＯＢを投入し、印刷物を生成する事が可能である。この際に前記コンピュータは既知のログイン手段により個人が特定されており、プリンタドライバはこの個人ＩＤをＪＯＢと同時に送信する事ができる。これにより、３３０１の画像形成装置は指示されたプリントＪＯＢが３３０４のユーザのものであるという事を認識する事が可能である。
【００５２】
また、３３０６ユーザは３３０１画像形成装置の付近に位置し、操作パネルを操作する事でコピー操作を行う事が可能である。３３０６ユーザが携帯している前記携帯情報装置は同様に個人ＩＤをメモリに有しており、既知の無線通信手段を用いて３３０１の画像形成装置に対して個人ＩＤを送信する事ができる。３３０１の画像形成装置は指示されたコピーＪＯＢが３３０４のユーザのものであるという事を認識する事が可能である。
【００５３】
＜ユーザモードの画面の説明＞
図５に画像複写装置におけるＬＣＤ操作部の画面を図示する。この画面はユーザが機器固有の設定を行う時に開く画面である。３１０２は共通仕様設定であり、機能に分類されない設定がカテゴライズされている。３１０３はコピー機能設定であり、ＣｏｐｙＦｕｎｃｔｉｏｎにおける設定がカテゴライズされている。３１０４はタイマー設定であり、タイマー関連の設定がカテゴライズされている。３１０５はＮｅｔｗｏｒｋ設定であり、Ｎｅｔｗｏｒｋ関連の設定がカテゴライズされている。３１０６は部門管理設定であり、部門毎に機器の使用情報を獲得する機能における設定がカテゴライズされている。３１０７はアドレス帳設定であり、画像形成装置がよくやり取りを行う宛先を登録する事ができる。３１０８はプリンタ機能設定であり、ＰｒｉｎｔｅｒＦｕｎｃｔｉｏｎに関する設定がカテゴライズされている。
【００５４】
ユーザはこのＬＣＤ画面上から所望の文字が書かれているボタンを押下することで、そのカテゴライズされた画面に遷移し、詳細な機器の設定を変更・設定する事が可能である。
【００５５】
＜本方式におけるデータ構造＞
図６に本方式におけるデータ構造（Ｔｒｅｅ）を図示する。
【００５６】
このデータベースは３３０１の画像複写装置内の不揮発メモリに保存される。
【００５７】
３２０１は本発明におけるデータ構造のトップである。３２０２〜３２０４が図７における３３０８及び３３０５等のユーザＩＤが格納されているレイヤーである。つまり、例えば３２０３は特定のユーザ一人に対する設定セットのデータ構造のトップであり、この下に繋がっているデータは全て３２０３のユーザが自分の設定として設定した値を記憶している事を意味する。（本説明は３２０３のユーザが持つデータ構造について説明するものであり、項目・機能を限定するものではない）。
【００５８】
同様に、他の特定のユーザの一人は３２０３と同格のレイヤー、例えば３２０２・３２０４以下に構築されることになる。
【００５９】
３１０２〜３１０７は図５におけるユーザモードのカテゴリに対応するデータを意味する。３２４０〜３２６２は３１０２〜３１０８の各々下にカテゴライズされているデータである。これらの設定の種類はさらにＴｒｅｅ構造を持つ場合もあり、膨大な数となる。本実施例では説明の都合上一部に絞って記載することにする。
【００６０】
３２４０はキークリック音のＯＮ／ＯＦＦであり、ユーザが操作を行った時に入力音を鳴らすか否かを記憶している。３２４１はアラームが発生した際にその音を鳴らすか否かを記憶している。３２４２は操作部上に表示する言語が何であるかを記憶している。３２５３は３１０３のＣｏｐｙＦｕｎｃｔｉｏｎに対する圧板原稿検知を行うか否かを記憶している。３２５４は３１０３のＣｏｐｙＦｕｎｃｔｉｏｎに対する印刷中に用紙無しになった時に同サイズの用紙が入っているカセットを検索して貴下変えるか否かを記憶している。３２５５は３１０３のＣｏｐｙＦｕｎｃｔｉｏｎに対する排紙トレイ先を記憶している。３２５６は３１０３のＣｏｐｙＦｕｎｃｔｉｏｎに対する色味の調整値を記憶している。３２５７は３１０３のＣｏｐｙＦｕｎｃｔｉｏｎの時に操作部上によく使う機能を一発で指定するためのショートカットボタンを記憶している。３２６０は３１０８ＰｒｉｎｔｅｒＦｕｎｃｔｉｏｎのエミュレーション機能であり、ＰｏｓｔＳｃｒｉｐｔをインタープリットするか否かを記憶している。３２６１は３１０８ＰｒｉｎｔｅｒＦｕｎｃｔｉｏｎの排紙トレイを記憶している。３２６２は３１０８ＰｒｉｎｔｅｒＦｕｎｃｔｉｏｎの色調整値を記憶している。
【００６１】
３２７１〜３２７２は３１０７ＡｄｄｒｅｓＢｏｏｋが記憶しているユーザである。３２７３〜３２７５は３２７１のユーザの各々の情報を記憶している。
【００６２】
前記記憶しているデータは３２０３のユーザＩＤに対するものであり、３２０４のユーザには同じレベルのデータを記憶する事ができ、ユーザＩＤ毎に設定値を記憶する為に必要なデータ構造である。
【００６３】
＜ＮｅｔｗｏｒｋＦｉｌｅＳｙｓｔｅｍ＞
情報をファイルとして管理する一般的な方法にＦｉｌｅＳｙｓｔｅｍという物がある。ＦｉｌｅＳｙｓｔｅｍはＦｉｌｅＮａｍｅを定義しそのＦｉｌｅＮａｍｅをキーに情報の保存／読み込みを行う事ができる。これは揮発／不揮発性メモリやＨＤＤ等に一般的に使用し、一時的／恒久的に情報を管理／保存する為に用いられる。
【００６４】
非接触型の通信や有線におけるＮｅｔｗｏｒｋには仮想的にＮｅｔｗｏｒｋＦｉｌｅＳｙｓｔｅｍ（以後ＮＦＳ）という既知の技術がある。これは、Ｎｅｔｗｏｒｋを介してＦｉｌｅＳｙｓｔｅｍをＭｏｕｎｔする事で、あたかもＮｅｔｗｏｒｋの先にあるＦｉｌｅＳｙｓｔｅｍが自分の機器内のＦｉｌｅＳｙｓｔｅｍの様に扱える機能である。
【００６５】
本実施例ではＮｅｔｗｏｒｋＦｉｌｅＳｙｓｔｅｍのプロトコルについては問わないが、例えばＭｏｕｎｔした時に前記携帯情報端末上から前記画像複写装置に一括で設定セットをバッファに読み込んでしまう方法でも構わない、また、読み込み要求が発生したものに関してのみバッファに読み込む事でも問題は無い。書き込みに関しても同様である。
【００６６】
＜個人データのマウント・アンマウント＞
図７で示した本実施例におけるマウントについて述べる。
【００６７】
３３０１の画像形成装置は自分の設定の為のプロトコルを持つ（以降ＦＤＳＰと呼ぶ）。
【００６８】
（本実施例はプロトコルに関するものでは無く、また一般的な通信プロトコルと差異があるわけではないため、詳細に関しては省略する。）
本方式の特徴的な部分であるところの、３３０７の携帯情報装置上に３３０１が使用するデータベースを接続する手段について述べる。処理フローは図１０に示す。
【００６９】
図１０−１はデータベースのマウントを開始する時のフローである。
【００７０】
以下、ステップは図面上はＳと示す。
【００７１】
ステップ３６１１でユーザの検出待ちを行う。ユーザを検出するとステップ３６１２でネットワークを介して所定のプロトコルネゴシエーションを行う。ステップ３６１３で先のネゴシエーションで得られたユーザＩＤに応じたファイルシステムをマウントする。
【００７２】
例えば３２０２はまだデータベースがマウントされていない状態であり、３２０３のＴｒｅｅの下に存在するデータベースは先におけるＮｅｔｗｏｒｋＦｉｌｅＳｙｓｔｅｍにおけるマウント機能によりＮｅｔｗｏｒｋの先のＦｉｌｅＳｙｓｔｅｍが参照されている事になる。これでマウントは完了である。
【００７３】
３３０７の携帯情報装置は内部にＦｉｌｅＳｙｓｔｅｍを持つ。このＦｉｌｅＳｙｓｔｅｍをＦＤＳＰプロトコルがマウントできるようにＥｘｐｏｒｔ設定を行う必要がある。これは現在の技術における一般的な方法では３３０７の携帯情報装置にＦＤＳＰ用のドライバをインストールして、ドライバ内からＥｘｐｏｒｔするサイズを指定するという方法がある。このドライバはＦＤＳＰのプロトコルのネゴシエーション機能を持っており、３３０１画像形成装置と３３０７携帯情報装置及び３３０４ＰＣとの間でセキュリティを考慮したＮｅｔｗｏｒｋ経路を確立する事が出来る。
【００７４】
図１０−２はデータベースのアンマウントを行う時のフローである。
【００７５】
ステップ３６２２でユーザを検出できなくなった、もしくは、非図示のユーザのＬｏｇｏｕｔ処理が明示的に指示された場合、ステップ３６２３に処理が移りＦｉｌｅＳｙｓｔｅｍがアンマウントされる。このとき、３２０３のユーザＩＤはそれ以降のＴｒｅｅが消えた状態になり、個人データのアクセスは拒否される事になる。
【００７６】
＜本方式の処理１フロー＞
図１１において、３３０６ユーザが３３０１の画像複写装置の近傍に立った場合３７０２で示すようにＦＤＳＰプロトコルのネゴシエーションにより３３０８の個人ＩＤが特定される。すると前記ＦｉｌｅＳｙｓｔｅｍのマウントシーケンスが動作する。ユーザが特定した旨のイベントが発生し、先に述べた個人データのマウント作業を行う。具体的には、図６の３２０３のＴｒｅｅ以下に接続されているデータは、３２０３のユーザＩＤ専用のデータであるため、３２０３のレイヤーでＮｅｔｗｏｒｋＦｉｌｅＳｙｓｔｅｍによるＭｏｕｎｔ作業を行う（これは３７０１のデータベースが３７０３の経路を経て３７０４の矢印のように３７１０のデータベースに接続される事を意味する）。
【００７７】
次に各所が設定データの再更新作業を行う。具体的には図５の３１０１ＬＣＤ部は操作部の操作に必要なデータである、３２４０、３２４１、３２４２の情報を図６のデータベース部に対して問い合わせをかける。このフローを図９−２に示す。
【００７８】
ステップ３５２１で３３０８の個人ＩＤに対応したユーザＩＤを判断する。ステップ３５２２で特定されたユーザＩＤに対応したＴｒｅｅから設定データを取り出し、ステップ３５２３でその値を返す。このフローの繰り返しで、画像複写装置全体が３３０６の個人設定通りの設定へと更新される。
【００７９】
次に、３３０６ユーザが３１０１のユーザモード画面を開き、設定の変更を行ったとする。すると、図９−１のフローに元づきユーザ設定が変更される。つまり、ステップ３５１１は指示を待っている時である。指示があるとステップ３５１２でユーザのＩＤが判断され３２０３のＴｒｅｅが選択される。ステップ３５１３でＤＢ中の中が検索され、ステップ３５１４で所定の場所のデータにアクセスが行われる（これは３７０５のデータのやり取りが行われる事を意味する）。
【００８０】
この効果の具体的な例を示すと、３３０６の操作者の好みが３２４０キークリック音がＯＮ、３２４１アラーム音がＯＦＦ、３２４２言語が英語という設定をしていた場合、３３０７の個人ＩＤを持っているデバイスを身につけて３３０１の画像複写装置の近郷に立った時点で、操作部画面は英語に切り替わり、操作した時のクリック音が鳴り、アラームＯＮが鳴らない設定となる。
【００８１】
３３０６ユーザが３３０１の画像複写装置の近傍から離れた場合、前記ＦｉｌｅＳｙｓｔｅｍのアンマウントのシーケンスが動作し、データベースを切り離す動作を行う。その後３３０１の画像処理装置はデフォルトの設定に自機の設定を変更して初期状態に戻る。
【００８２】
これらの３７０５のデータへのアクセスは先に述べたＮｅｔｗｏｒｋを介して３３０６の所有物である３３０７ＰＤＡ上のストレージに対して３７０６のＮｅｔｗｏｒｋアクセスが発生する事になる。つまり本方式により、自分の個人設定を自分の所有物である３３０７ＰＤＡ装置に保存し持ち歩く事が可能となる。これは例えば通常オフィスで自分が使用している画像複写装置に対して行った設定が同じプロトコルを持った違う場所の画像複写装置においても適用できる事を意味する。特に有効とされる具体的な効果としては、自分が通常設定して使用しているアドレス帳・言語等の各種設定データが、初めて訪れた会議室の画像複写装置に前で操作する際にも自動的に適用される事を意味する。
【００８３】
以上の様な手法により、一つの画像複写装置における設定を個人毎に管理することができ、また該設定に従って本体の状態を更新させることが可能である。
【００８４】
＜本方式の処理２＞
操作者３３０６が３３０４のＰＣを操作している場合について述べる。
【００８５】
本実施例では詳細に記載しないが３３０４のＰＣにも個人のＩＤを記録する手段がある場合、Ｎｅｔｗｏｒｋで接続されている限り先に述べた説明通りの動作を行う事が可能である。例えばユーザがＰｒｉｎｔｅｒとして３３０１の画像複写装置を使用する際に、３３０５の個人ＩＤが送信される。これにより、前記と同様の手段により、３１０８のＰｒｉｎｔｅｒ機能設定の各項目が反映され、ユーザの好みの動作に設定を切り替えて動作する事が可能となる。
【図面の簡単な説明】
【００８６】
【図１】スキャナの画像処理部のブロック図
【図２】プリンタの画像処理部のブロック図
【図３】画像形成装置の全体構成を示す図
【図４】スキャナの画像信号の図
【図５】画像複写装置の操作部画面（ユーザモード）を示す図
【図６】本発明におけるデータ構造を示す図
【図７】本発明の構成の概略図
【図８】携帯情報装置を示す図
【図９】フローチャート
【図１０】フローチャート
【図１１】本発明の実施例の概略図
【符号の説明】
【００８７】
３３０１  画像形成装置
３３０２  Ｎｅｔｗｏｒｋ
３３０３  コンピュータ
３３０４  ユーザ
３３０５  リンク
３３０６  ユーザ
３３０７  携帯情報装置
３３０８  リンク
【図１】
2006196983.tif 000003
【図２】
2006196983.tif 000004
【図３】
2006196983.tif 000005
【図４】
2006196983.tif 000006
【図５】
2006196983.tif 000007
【図６】
2006196983.tif 000008
【図７】
2006196983.tif 000009
【図８】
2006196983.tif 000010
【図９】
2006196983.tif 000011
【図１０】
2006196983.tif 000012
【図１１】
2006196983.tif 000013